(57)【要約】【課題】接続部材の端末部を制御基板に着脱するための開口部が形成されたカバー体において、カバー体の開口部からの埃等の侵入、異物の挿入による不正行為の抑制を可能とする接続構造を備えた遊技機を提供する。【解決手段】電気部品を制御する制御基板５０と、制御基板同士を電気的に接続する接続部材と、制御基板に搭載されて接続部材の端末部を接続可能とする接続部７０とを備えた遊技機において、接続部７０は、接続部材の端末部を着脱自在とする本体部７１と該本体部を制御基板５０に取り付ける台板７５とからなり、制御基板はケース体６１に配置されると共にカバー体６５によって被覆され、カバー体には制御基板を該カバー体により被覆した状態で本体部を露出させる開口部６７が形成され、台板は開口部よりも大きく形成され、かつ台板は制御基板の少なくとも一部を被覆する。【選択図】図６
2006223908.tif 000002
【特許請求の範囲】
【請求項１】
電気部品を制御する制御基板と、
前記制御基板同士を電気的に接続する接続部材と、
前記制御基板に搭載されて前記接続部材の端末部を接続可能とする接続部とを備えた遊技機において、
前記接続部は、前記接続部材の端末部を着脱自在とする本体部と該本体部を前記制御基板に取り付ける台板とからなり、
前記制御基板はカバー体によって被覆され、前記カバー体には前記制御基板を該カバー体により被覆した状態で前記本体部を露出させる開口部が形成され、
前記台板は前記開口部よりも大きく形成され、かつ前記台板は前記制御基板の少なくとも一部を被覆していることを特徴とする遊技機。
【請求項２】
前記台板の周囲には前記カバー体側に向けて第１突部が突設されていると共に、前記カバー体のうち前記開口部を形成する周縁には前記台板側に向けて第２突部が突設され、前記第１突部は前記第２突部の外方側に位置すると共に、前記第１突部及び前記第２突部は各々の高さ方向で重合していることを特徴とする請求項１に記載の遊技機。
【請求項３】
前記制御基板に前記カバー体を被覆させた際に、前記第１突部が前記第２突部の外方側に位置して前記第１突部と前記第２突部が係合することを特徴とする請求項２に記載の遊技機。
【請求項４】
前記本体部と前記台板が一体に形成されていることを特徴とする請求項１ないし３のいずれか１項に記載の遊技機。
【請求項５】
前記本体部と前記台板が別体に形成されていることを特徴とする請求項１ないし３のいずれか１項に記載の遊技機。
【請求項６】
前記台板には前記本体部を挿通もしくは貫通可能とする貫通孔が形成され、前記貫通孔には前記台板と前記本体部とを係合させる係合部が形成されていることを特徴とする請求項５に記載の遊技機。
【請求項７】
前記制御基板には配線パターンが施され、前記台板は前記配線パターンの少なくとも一部を被覆することを特徴とする請求項１ないし６のいずれか１項に記載の遊技機。
【請求項８】
前記制御基板を収容する制御基板収容ケースが、前記制御基板を配置するケース体に前記カバー体を取り付けて形成されていることを特徴とする請求項１ないし７のいずれか１項に記載の遊技機。
【請求項９】
前記制御基板が配置される取付部材において、前記取付部材に前記カバー体が取り付けられていることを特徴とする請求項１ないし８のいずれか１項に記載の遊技機。
【請求項１０】
前記台板には前記制御基板と当接する当接面が備えられ、前記当接面の面積は前記開口部の面積よりも大であることを特徴とする請求項１ないし９のいずれか１項に記載の遊技機。
【請求項１１】
前記カバー体には前記制御基板側に向けて第３突部が形成され、前記カバー体を前記制御基板に被覆させた際に前記第３突部が前記台板の周縁の外方側に位置することを特徴とする請求項１ないし１０のいずれか１項に記載の遊技機。
【発明の詳細な説明】
【技術分野】
【０００１】
本発明は、パチンコ遊技機等の遊技機に関し、特に遊技機内の複数の制御基板同士を相互に電気的に接続する接続部材の接続構造に関する。
【背景技術】
【０００２】
現在、パチンコ遊技機、スロットマシン等の遊技機は、電気的に駆動及び制御され、多くの電気部品が備えられている。このような電気部品として、例えば、各種入賞口、画像表示装置（ＴＦＴ−ＬＣＤモジュール等）、ランプ、スピーカ等がある。また、これら電気部品の動作等を制御・実行するため、複数の制御基板が実装されている。制御基板としては、ＣＰＵ，ＲＯＭ，ＲＡＭ等の電子部品が装着された主制御基板、表示制御基板、発光制御基板、電源基板、遊技球の払出制御基板等が挙げられる。上記の各制御基板は遊技状態に応じて互いの制御基板間で電気信号の送信あるいは受信を行い、適正な遊技状態が保たれるように制御されている。そのため、各制御基板同士は、配線部材（コード）とその端末部に取り付けられたコネクタ部材からなる接続部材により電気的に接続されている。
【０００３】
ところで、前記の遊技機においては、従前よりも電気部品や制御基板の数が増加していることに伴い、接続に要する配線体の数も増加し、その接続は煩雑となるおそれがあった。そこで、例えば、特定の制御基板や電気部品に対し、他の電機部品とは異なるコネクタ部材を使用する遊技機が提案されている（特許文献１参照）。
【０００４】
また、前記の制御基板にあっては、当該制御基板を被覆するため、カバー体を備えているものが一般的である。カバー体に設けられた開口部を介して、制御基板と接続部材の端末部（コネクタ部材）が接続されている。このような構造の場合、カバー体の開口部から異物が挿入されて、内部の制御基板に対して不正行為が行われる等のおそれがある。仮に、異物挿入等が生じると、制御基板による制御に誤作動が発生し、通常の遊技を実行することができなくなるおそれがある。
【０００５】
すなわち、特許文献１等に見られるような従前の端末部（コネクタ部材）の接続構造を用いたとしても、上記の問題の解消には程遠い。そこで、従前にも増して、カバー体の開口部からの埃等の侵入、異物の挿入による不正行為を抑制できる構造を備えた遊技機が切望されている。
【特許文献１】特開２００１−８７５１９号公報
【発明の開示】
【発明が解決しようとする課題】
【０００６】
本発明は前記の点に鑑みなされたものであり、接続部材の端末部を制御基板に着脱するための開口部が形成されたカバー体において、カバー体の開口部からの異物の挿入による不正行為等の抑制を可能とする接続構造を備えた遊技機を提供する。
【課題を解決するための手段】
【０００７】
すなわち、請求項１の発明は、電気部品を制御する制御基板と、前記制御基板同士を電気的に接続する接続部材と、前記制御基板に搭載されて前記接続部材の端末部を接続可能とする接続部とを備えた遊技機において、前記接続部は、前記接続部材の端末部を着脱自在とする本体部と該本体部を前記制御基板に取り付ける台板とからなり、前記制御基板はカバー体によって被覆され、前記カバー体には前記制御基板を該カバー体により被覆した状態で前記本体部を露出させる開口部が形成され、前記台板は前記開口部よりも大きく形成され、かつ前記台板は前記制御基板の少なくとも一部を被覆していることを特徴とする遊技機に係る。
【０００８】
請求項２の発明は、前記台板の周囲には前記カバー体側に向けて第１突部が突設されていると共に、前記カバー体のうち前記開口部を形成する周縁には前記台板側に向けて第２突部が突設され、前記第１突部は前記第２突部の外方側に位置すると共に、前記第１突部及び前記第２突部は各々の高さ方向で重合していることを特徴とする請求項１に記載の遊技機に係る。
【０００９】
請求項３の発明は、前記制御基板に前記カバー体を被覆させた際に、前記第１突部が前記第２突部の外方側に位置して前記第１突部と前記第２突部が係合することを特徴とする請求項２に記載の遊技機に係る。
【００１０】
請求項４の発明は、前記本体部と前記台板が一体に形成されていることを特徴とする請求項１ないし３のいずれか１項に記載の遊技機に係る。
【００１１】
請求項５の発明は、前記本体部と前記台板が別体に形成されていることを特徴とする請求項１ないし３のいずれか１項に記載の遊技機に係る。
【００１２】
請求項６の発明は、前記台板には前記本体部を挿通もしくは貫通可能とする貫通孔が形成され、前記貫通孔には前記台板と前記本体部とを係合させる係合部が形成されていることを特徴とする請求項５に記載の遊技機に係る。
【００１３】
請求項７の発明は、前記制御基板には配線パターンが施され、前記台板は前記配線パターンの少なくとも一部を被覆することを特徴とする請求項１ないし６のいずれか１項に記載の遊技機に係る。
【００１４】
請求項８の発明は、前記制御基板を収容する制御基板収容ケースが、前記制御基板を配置するケース体に前記カバー体を取り付けて形成されていることを特徴とする請求項１ないし７のいずれか１項に記載の遊技機に係る。
【００１５】
請求項９の発明は、前記制御基板が配置される取付部材において、前記取付部材に前記カバー体が取り付けられていることを特徴とする請求項１ないし８のいずれか１項に記載の遊技機に係る。
【００１６】
請求項１０の発明は、前記台板には前記制御基板と当接する当接面が備えられ、前記当接面の面積は前記開口部の面積よりも大であることを特徴とする請求項１ないし９のいずれか１項に記載の遊技機に係る。
【００１７】
請求項１１の発明は、前記カバー体には前記制御基板側に向けて第３突部が形成され、前記カバー体を前記制御基板に被覆させた際に前記第３突部が前記台板の周縁の外方側に位置することを特徴とする請求項１ないし１０のいずれか１項に記載の遊技機に係る。
【発明の効果】
【００１８】
請求項１の発明に係る遊技機によると、接続部は、接続部材の端末部を着脱自在とする本体部と該本体部を制御基板に取り付ける台板とからなり、前記制御基板はカバー体によって被覆され、前記カバー体には前記制御基板を該カバー体により被覆した状態で前記本体部を露出させる開口部が形成され、前記台板は前記開口部よりも大きく形成され、かつ前記台板は前記制御基板の少なくとも一部を被覆しているため、カバー体の開口部からの異物の挿入による不正行為等を抑制することができる。
【００１９】
請求項２の発明に係る遊技機によると、請求項１の発明において、前記台板の周囲には前記カバー体側に向けて第１突部が突設されていると共に、前記カバー体のうち前記開口部を形成する周縁には前記台板側に向けて第２突部が突設され、前記第１突部は前記第２突部の外方側に位置すると共に、前記第１突部及び前記第２突部は各々の高さ方向で重合しているため、カバー体の開口部からの異物の挿入による不正行為等を抑制することができる。
【００２０】
請求項３の発明に係る遊技機によると、請求項２の発明において、前記制御基板に前記カバー体を被覆させた際に、前記第１突部が前記第２突部の外方側に位置して前記第１突部と前記第２突部が係合するため、開口部と接続部との位置決めを容易に行うことができる。
【００２１】
請求項４の発明に係る遊技機によると、請求項１ないし３のいずれか１項の発明において、前記本体部と前記台板が一体に形成されているため、制御基板に接続部を取り付ける作業が容易となる。
【００２２】
請求項５の発明に係る遊技機によると、請求項１ないし３のいずれか１項の発明において、前記本体部と前記台板が別体に形成されているため、本体部または台板のいずれかもしくは両方の交換が容易となる。
【００２３】
請求項６の発明に係る遊技機によると、請求項５の発明において、前記台板には前記本体部を挿通もしくは貫通可能とする貫通孔が形成され、前記貫通孔には前記台板と前記本体部とを係合させる係合部が形成されているため、本体部と台板とは合着して容易には外れにくくなる。
【００２４】
請求項７の発明に係る遊技機によると、請求項１ないし６のいずれか１項の発明において、前記制御基板には配線パターンが施され、前記台板は前記配線パターンの少なくとも一部を被覆するため、台板直下の制御基板の配線パターンは、挿入される異物等より保護される。
【００２５】
請求項８の発明に係る遊技機によると、請求項１ないし７のいずれか１項の発明において、前記制御基板を収容する制御基板収容ケースが、前記制御基板を配置するケース体に前記カバー体を取り付けて形成されているため、制御基板収容ケースにおいてカバー体の開口部からの異物の挿入による制御基板に対する不正行為等を抑制することができる。
【００２６】
請求項９の発明に係る遊技機によると、請求項１ないし８のいずれか１項の発明において、前記制御基板が配置される取付部材において、前記取付部材に前記カバー体が取り付けられているため、取付部材においてそのカバー体の開口部からの異物の挿入による制御基板に対する不正行為等を抑制することができる。
【００２７】
請求項１０の発明に係る遊技機によると、請求項１ないし９のいずれか１項の発明において、前記台板には前記制御基板と当接する当接面が備えられ、前記当接面の面積は前記開口部の面積よりも大であるため、異物の侵入を抑制して不正行為等に対する安全性を向上させることが可能となる。
【００２８】
請求項１１の発明に係る遊技機によると、請求項１ないし１０のいずれか１項の発明において、前記カバー体には前記制御基板側に向けて第３突部が形成され、前記カバー体を前記制御基板に被覆させた際に前記第３突部が前記台板の周縁の外方側に位置するため、挿入された異物等は第３突部によってその進路を遮られ、異物等が制御基板の内部側に進むことは困難となる。そのため、不正行為等に対する安全性がいっそう向上する。
【発明を実施するための最良の形態】
【００２９】
以下添付の図面に従ってこの発明を詳細に説明する。図１は本発明の一実施例に係る遊技機全体の正面図、図２は同遊技機全体の裏面図、図３は制御基板同士の接続状態の概略を示す斜視図、図４は第１実施例の制御基板収容ケースの分解斜視図、図５は第１実施例の接続部の斜視図と上面図と正面図、図６は第１実施例の制御基板収容ケースの主要部概略断面図、図７は第１実施例の開口部の概略上面図、図８は図６の異物挿入時の概略断面図、図９は第１実施例の別例に係る接続部の側面図、図１０は第１実施例の別体に形成された接続部の分解斜視図と正面図、図１１は第２実施例の制御基板収容ケースの分解斜視図、図１２は第２実施例の接続部の斜視図と上面図と正面図、図１３は第２実施例の制御基板収容ケースの主要部概略断面図、図１４は第２実施例の開口部の概略上面図、図１５は図１３の異物挿入時の概略断面図、図１６は制御基板が配置された取付部材の正面図と主要部概略断面図、図１７は制御基板上の配線パターンの模式図、図１８は従来の制御基板収容ケースの主要部概略断面図である。
【００３０】
図１に示す遊技機１は、枠体２の内側に遊技盤３が着脱交換可能に収容されており、その遊技盤３に遊技球の外側誘導レール４及び内側誘導レール５が略円形に立設され、遊技盤３の前記外側誘導レール４と内側誘導レール５によって囲まれた遊技領域６の中心線上にその上部から下部に向かって順に画像表示装置９、普通電動役物である始動入賞口１０、特別電動役物である大入賞口１５、アウト口（排出口とも称される。）１７が配設され、上方両側にはランプ風車１８ａ，１８ｂ、下方に普通図柄変動開始用左ゲート１９と普通図柄変動開始用右ゲート２１、その下方に風車２２ａ，２２ｂ、その下方に左袖入賞口２３と右袖入賞口２５、さらには前記大入賞口１５の両側に左落とし入賞口２７と右落とし入賞口２９が配設されている。
【００３１】
また、前記枠体２の前面側には、払い出された遊技球を受け、遊技者の発射操作に応じて遊技球を遊技盤３の遊技領域６に向けて発射する発射装置ＨＤ及び当該発射装置Ｈに遊技球を供給する上側遊技球貯留皿３１、前記上側遊技球貯留皿３１の飽和時に遊技球を受けるための下側遊技球貯留皿３２、遊技状態を報知するランプ表示器３３，３４、音声や効果音を発して遊技状態を遊技者に報知するスピーカ８がそれぞれ組み付けられている。
【００３２】
図中の画像表示装置９は、液晶表示盤（ドットマトリックス表示器）等の画像表示部からなる図柄表示装置であり、図示はしないが特別図柄及び普通図柄が表示される。前記図柄表示装置を構成する画像表示部は、前記のような液晶表示盤に限られるものではなく、ＬＥＤ、ＥＬ、ＣＲＴやその他発光体で構成されていてもよい。
【００３３】
図２に示すように、遊技機１の遊技盤の裏面側には、該遊技盤の前面側に配設された前記画像表示装置９の画像表示部への図柄等の表示制御を行う図柄制御基板５７、同じく遊技盤の前面側である遊技領域６に配設された入賞口に入球した遊技球を集合させる集合路を有する集合板（図示せず）が設けられている。
【００３４】
また、図２の符号４０は遊技球を貯留する貯留タンク、４１はタンクレール、４２は枠用外部出力端子基板、４３はランプ中継基板、４４は受電基板、４５は賞球センサ中継基板、４６は盤面用外部出力端子基板、４７は中継基板、４８は音声制御基板、４９はＦＧ中継基板、５０は主制御基板、５１は電源基板、５２はランプ制御基板、５３は払出制御基板、５４は発射装置制御基板、５５はカードインターフェイス接続部、５６は電源プラグ、５７は図柄制御基板、Ｇは接地線、６０は制御基板収容ケースである。
【００３５】
前記した各種の制御基板（４８，５０，５１，５２，５３，５４，５７等）は、図２に示すとおり、後述する制御基板収容ケース内に封入されている。制御基板が制御基板収容ケース内に封入されていることによって、制御基板が露出することもなくなり、制御基板の保護を図ることができる。併せて、制御基板収容ケースごと取り扱うことができるため、制御基板の取り付け作業の利便性を高めることができる。主に列記の制御基板により、前出の画像表示装置９をはじめとして、始動入賞口１０、大入賞口１５、スピーカ８、発射装置ＨＤ、各種のランプ等の電気部品が制御される。
【００３６】
図３を用い複数の制御基板同士を接続する態様について説明する。図示の制御基板として、制御基板収容ケース６０に格納された主制御基板５０、図柄制御基板５７（基板収容ケース内に格納）を例示し、これらを模式的に図示したものである。前記の制御基板は、適宜本数からなる配線部材（配線コード）２０１と該配線部材２０１の端末部２０２にコネクタ部材２０５を備えた接続部材２００により、互いの制御基板同士で電気的に接続され導通可能とされている。接続部材２００、特にはコネクタ部材２０５が接続部７０（８０）に装着されることにより、互いの制御基板は接続される。こうして、主制御基板５０で生成された各種遊技に関する信号は適宜の制御基板に送信され、各電気部品の制御が行われることにより各種遊技が実行される。
【００３７】
図４を用い制御基板収容ケース６０の構造についてさらに詳しく述べる。この制御基板収容ケース６０は、主制御基板５０を被覆して保持し該制御基板上の電子部品（ＣＰＵ、ＲＯＭ、ＲＡＭ、ＩＣ、トランジスタ、抵抗、コンデンサ等）を保護するものである。主制御基板５０はケース体６１に配置され、そのケース体６１にカバー体６５が取り付けられている。主制御基板５０には、適宜数の接続部７０が搭載され、接続部材２００のコネクタ部材２０５がカバー体６５の開口部６７を介して挿入され、接続部７０に着脱自在に接続される。説明の便宜上、主制御基板を収容する制御基板収容ケースを例示しているが、他の制御基板（図２参照）においても同様に各々の制御基板収容ケース内に収容（被覆）されている。
【００３８】
続いて、図５及び図６を用い接続部７０を説明する。接続部７０は、接続部材２００の端末部２０２（実施例では図３参照のコネクタ部材２０５）を着脱自在とする本体部７１と、この本体部７１を制御基板（主制御基板５０を例示）に取り付ける台板７５とからなる。本体部７１は内部を空洞とする側壁７３に囲まれた略直方体形状である。本体部の内部の空洞部分は挿入口７２となり、当該挿入口７２にコネクタ部材２０５が装着される。台板７５は側壁７３よりも外方に広がって形成されているため、台板７５は制御基板（主制御基板５０）の少なくとも一部を被覆している。
【００３９】
図５（ｂ）に示した斜線部分は前記の挿入口７２であり、当該挿入口７２の面積（つまり斜線部分の面積）は、後述の図７等からも判るように、開口部６７の面積より小さく構成されている。図中、符号Ｔは接続端子であり、接続端子がコネクタ部材内に差し込まれ係合される。図５（ｃ）に示すように、接続端子Ｔは台板７５を突き抜けている。そして、制御基板（図示しない配線部分）に台板の下側の接続端子がはんだ付けされ、接続部は制御基板に固定される。符号７６は台板の当接面である。
【００４０】
図５（ａ）ないし（ｃ）に示す接続部７０にあっては、本体部７１と台板７５は一体に形成されている。すなわち、接続部７０は樹脂製の部材であり、一括成形されたものである。そのため、接続部と制御基板との取り付け作業を比較的容易とすると共に、制御基板との密着を強化することができる。
【００４１】
図６に示す制御基板収容ケース６０における主要部概略断面図を用い接続部７０付近の構造を説明する。図示のとおり、接続部７０（本体部７１及び台板７５）の接続端子Ｔは、制御基板（主制御基板５０を例示）に、はんだＨで取り付けられている。この主制御基板５０はケース体６１に図示しないビスにより固定され、さらに、主制御基板５０の上から被覆するようにカバー体６５が重ねられる。カバー体６５とケース体６１は適宜の不正防止手段を備えた固定方法（特許第３４３１８６８号等を参照。）により固定されている。
【００４２】
既に図５に示したとおり、開口部６７内に接続部７０が配置され、本体部７１内の挿入口７２に前記の接続部材２００のコネクタ部材２０５が装着される。この開口部６７にあっては、接続部７０の側壁７３と、カバー体６５における開口部６７の周縁６６との間に、ごく僅かに空間部６７ｏが形成されている。なお、この空間部６７ｏの大きさ、すなわち、側壁７３と周縁６６との間の距離は極力小さいことが好ましい。なぜならば、開口部６７から異物が挿入される等のおそれを低減することができるからである。実施例によると、不正防止部６３（第３突部に相当）が設けられている。カバー体６５を主制御基板５０（さらにはケース体６１）に被覆させた際、不正防止部６３は台板の周縁７５ｅの外方側に対面して位置する。
【００４３】
併せて、図７の概略上面図に示すように、台板７５（当接面７６）は開口部６７より大きく形成されている。すなわち、台板７５が主制御基板５０と当接している当接面７６の面積（図８のＳｑαで示される部分の面積）は、カバー体６１の開口部６７の面積（図８のＳｑβで示される部分の面積）より、大である。従前の場合、後記の図１８のとおり、当接面の面積よりも開口部の面積が大となるものである。しかるに、当該実施例の構成のとおり、制御基板（主制御基板５０）において開口部６７から見て露出している部分は台板７５により被覆されて無くなる。従って、針金等の異物は台板に接触するため、制御基板に対する不正等の防止が可能となる。
【００４４】
さらに図８の断面図から理解されるとおり、面積の大小比較（Ｓｑα＞Ｓｑβ）に加え、不正防止部６３が備えられているため、針金等の異物Ｘは不正防止部６３よりも制御基板の中心方向（図示の左方向）に進むことは困難とされ、不正行為に対する安全性が向上する。実施例の不正防止部６３は、接続部７０における本体部７１（側壁７３）の３方の面に対面して位置している（図７参照）。また、接続部７０の高さをカバー体６１の開口部６７の高さとほぼ同様、もしくは接続部７０の高さを高くすることにより、空間部６７ｏを極力小さくしている。そこで、接続部７０の高さを開口部６７までの高さよりも低くした場合と比べると、接続部７０の高さを開口部６７までの高さと同等もしくは高くすることによって、開口部６７から異物が挿入される等のおそれは低減され得る。
【００４５】
台板７５が樹脂製の場合、台板が変形により反り上がるおそれも指摘されるため、図９（ａ）に示すように、別途、ビスＶを用いて接続部（台板）の四隅を制御基板に固定することもできる。さらに、図９（ｂ）に示す接続部７０Ａのように、本体部７１ａを側面視略台形として、側壁をテーパ状とすることもできる。当該接続部７０Ａとすると、形成される空間部６７ｏがより減少し、異物の侵入を抑制して不正行為に対する安全性を向上させることができる。
【００４６】
これまでに述べた一体形成の接続部７０に代えて、図１０（ａ）に示す接続部７０Ｂを例示することができる。この接続部７０Ｂにあっては、本体部７１ｂと台板７５ｂは別体に形成されている。台板７５ｂには本体部７１ｂを挿通もしくは貫通可能とする貫通口１０１が形成されている。本体部７１ｂに設けられた本体凸部１０７と、台板７５ｂに設けられた台板凹部１０８により係合部１０５が形成されている。
【００４７】
図１０（ｂ）に示すとおり、本体部７１ｂが台板７５ｂの貫通口１０１に嵌め込まれると、台板凹部１０８に本体凸部１０７が係合することとなる。従って、本体部７１ｂと台板７５ｂとは合着して容易には外れにくくなる。むろん、このような係合部を設けず、貫通口と本体部との摩擦抵抗により台板を本体部に固定することも可能である。別体形成の接続部７０Ｂとする場合、台板もしくは本体部の破損等による交換を容易とすることができる。例えば、前記した台板の反り上がりのときの交換等があり得る。ちなみに、本体部を側面視略台形とする接続部７０Ａであっても、本体部と台板とを別体とすることは可能である。
【００４８】
以上より、開口部６７からの埃等の侵入や異物の挿入（不正行為の介在）等に対する安全性を高めることができる。
【００４９】
次に第２実施例を開示する。図１１に示す制御基板収容ケース６０Ｋも、主制御基板５０を被覆して保持し該制御基板上の電子部品を保護するものである。主制御基板５０はケース体６１に配置され、そのケース体６１にカバー体９５が取り付けられている。主制御基板５０には、適宜数の接続部８０（第２実施例の接続部）が搭載され、前記の接続部材２００のコネクタ部材２０５がカバー体９５の開口部９７を介して挿入され、接続部８０に着脱自在に接続される。
【００５０】
続いて、図１２を用い接続部８０を説明する。接続部８０は、接続部材２００の端末部２０２（実施例では図３参照のコネクタ部材２０５）を着脱自在とする本体部８１と、この本体部８１を制御基板（主制御基板５０を例示）に取り付ける台板８５とからなる。本体部８１は内部を空洞とする側壁８３に囲まれた略直方体形状である。本体部の内部の空洞部分は挿入口８２となり、当該挿入口８２にコネクタ部材２０５が装着される。台板８５は側壁８３よりも外方に広がって形成され、その台板の周囲を取り囲むようにして壁状に第１突部８８が形成されている。台板８５は制御基板（主制御基板５０）の少なくとも一部を被覆可能としている。
【００５１】
図１２（ｂ）に示した斜線部分は前記の挿入口８２であり、当該挿入口８２の面積（つまり斜線部分の面積）は、後述の図１２等からも判るように、開口部９７の面積より小さく構成されている。図中、符号Ｔは接続端子であり、接続端子がコネクタ部材内に差し込まれ係合される。図１２（ｃ）に示すように、接続端子Ｔは台板８５を突き抜けている。制御基板（図示しない配線部分）に対して台板より下側に突き出た接続端子がはんだ付けされ、接続部は制御基板に固定される。符号８６は台板の当接面である。
【００５２】
図１３に示す制御基板収容ケース６０Ｋにおける主要部概略断面図を用い接続部８０付近の構造を説明する。図示のとおり、接続部８０（本体部８１及び台板８５）の接続端子Ｔは、制御基板（主制御基板５０を例示）に、はんだＨで取り付けられている。主制御基板５０とケース体６１との固定、カバー体９５とケース体６１との固定は前述と同様であるため省略する。
【００５３】
この実施例の開口部９７付近の構造を述べる。接続部８０の台板８５の周囲に設けられた第１突部８８は、カバー体９５側に向けて突設されている。カバー体９５の開口部９７を形成する周縁９６には、台板８５側に向けて第２突部９２が突設されている。また同時に、第１突部８８は第２突部９２の外方側（第２突部の付け根方向、つまり周縁９６方向）に位置すると共に、第１突部８８及び第２突部９２は各々の高さ方向（突設する方向）で重合している（互いに重なり合っている）。さらに詳しく述べると、第１突部８８の上から第２突部９２は覆い被さるようにして係合されている（両突部同士は合着して嵌め合わされている）。このように係合するため、開口部９７と接続部８０との位置決め（位置合わせ）を容易に行うことができる。
【００５４】
接続部８０の側壁８３及びカバー体９５における開口部の周縁９６、特には側壁８３と第２突部９２との間に、ごく僅かな空間部９７ｏが形成されている。周縁９６の付け根に台板８５側に向けて第３突部である不正防止部９３が設けられている。カバー体９５を主制御基板５０（さらにはケース体６１）に被覆させた際、不正防止部９３は台板の周縁８５ｅの外方側に対面して位置する。第１突部８８及び第３突部（不正防止部９３）も各々の高さ方向（突設する方向）で重合している（互いに重なり合っている）。
【００５５】
図１４の概略上面図に示すように、台板８５（当接面８６）は開口部９７よりも大きく形成されている。すなわち、台板８５が主制御基板５０と当接している当接面８６の面積（図１５のＳｑγで示される部分の面積）は、カバー体９５の開口部９７の面積（図１５のＳｑδで示される部分の面積）より、大である。図中、符号８８ｗは第１突部の肉厚（幅）、９２ｗは第２突部の肉厚（幅）であり、第１突部８８及び第２突部９２は共に本体部８１を取り囲む平板の枠形状を成している。第３突部（不正防止部９３）は、接続部８０における本体部８１（側壁８３）の３方の面に対面して位置している。図示の第１突部８８及び第２突部９２のとおり、突部を平板形状（すなわち突条）とする他、第１突部及び第２突部を特に保護を要する箇所のみに突片状の突部として設けることも可能である。
【００５６】
図１５の断面図から理解されるとおり、第１突部８８，第２突部９２，第３突部（不正防止部９３）の位置関係においては、第２突部９２と第３突部（不正防止部９３）によって、開口部の周縁９６に断面視略「コ」の字状の突部が形成されている。この下向きに開口する「コ」の字状の窪みに第１突部８８が入り込む構造である。従って、異物Ｘは、面積の大小比較（Ｓｑγ＞Ｓｑδ）と併せて、第２突部９２，第１突部８８，第３突部（不正防止部９３）によってもその進路を遮られる。このため、異物Ｘが各突部の間を縫うようにして制御基板の中心方向（図示の左方向）に進むことは困難となり、不正行為に対する安全性が向上する。この第２実施例によると、接続部８０の高さとカバー体９５の開口部９７の高さはほぼ同一であるが、双方の高低は適宜である。
【００５７】
当該第２実施例によると、本体部８１から、第２突部９２，第１突部８８，第３突部（不正防止部９３）の順に各種の突部が形成されているため、カバー体の素材の変形（開口部の大きさ、形状等の変化）を勘案して適宜の開口部の大きさとすることができる。従って、カバー体の取り付け作業の便宜を高めながら、開口部９７からの埃等の侵入や異物の挿入（不正行為の介在）に対する安全性をより確保することができる。さらに詳しく述べると、開口部９７と側壁８３との間の距離を大きく（長く）することができるため、カバー体９５とケース体６１との組み付け作業は余裕を持って正確に行うことが可能である。また、例えば、カバー体９５の開口部９７の周縁９６に変形が生じた場合においても、開口部の周縁９６の変形部分は、開口部９７と側壁８３との間に移動することが可能となる。よって、カバー体９５とケース体６１との組み付け状態を正確に維持することができる。
【００５８】
なお、第２実施例に係る接続部８０は本体部８１と台板８５とを一体に形成したものである。当該構成に代えて、本体部と台板とを別体に形成（図示せず）することは当然に可能である。第２実施例に係る接続部８０の別体に形成する構造の詳細は、既に図１０の説明と同様であるため省略する。第２実施例に係る接続部８０においても本体部８１を側面視略台形として、側壁をテーパ状とすることもできる。
【００５９】
これまでに詳述したような制御基板と接続部材とを接続する構成は、制御基板同士の接続態様に限られるものではなく、電気部品の制御が行われて制御基板が配置される各種の役物等（取付部材）においても適用できる。以下、図１６を用い説明する。図１６（ａ）の正面図は、制御基板が配置される取付部材として、画像表示装置９を例示する。画像表示装置９は内部に図示しない液晶表示装置（ＴＦＴ−ＬＣＤモジュール）を収容し、液晶表示装置の周り及び当該画像表示装置９の表面を装飾する装飾部材１２１が備えられている。この装飾部材１２１の背面に制御基板１３０が図示しないビス等により固定されている。従って、装飾部材１２１は前記のケース体と同様に機能する。図中、符号１２２はＬＥＤである。
【００６０】
図１６（ｂ）は、図１６（ａ）のＡ−Ａ断面の概略部分断面図である。図示のとおり、制御基板１３０上にＬＥＤ１２２が装着されていると共に、制御基板１３０に前記の接続部７０（本体部７１，台板７５）も装着されている。この制御基板１３０はカバー体１２５により被覆され、接続部７０の周辺に開口部１２７が形成されている。接続部７０の接続端子Ｔｃ及びＬＥＤの接続端子（電極）Ｔｄは、制御基板１３０にはんだＨで固定されている。カバー体１２５においても制御基板１３０側に向けて第３突部（不正防止部１２３）が設けられている。なお、当該実施例においても、台板７５が制御基板１３０と当接する当接面の面積は、開口部１２７の面積よりも大である。
【００６１】
図１６から理解されるように、制御基板が配置される取付部材においても、開口部、接続部、台板、制御基板、不正防止部等について、既に図６ないし図８で詳述したものと同様の位置関係が成立している。従って、仮に異物Ｘが挿入されるような場合であっても、制御基板１３０は保護される。むろん、接続部は図示に限らず、前記の接続部８０を適用すること、前記のカバー体９５のように第２突部９２を備えることは可能である。加えて、制御基板が配置される取付部材は、図示の画像表示装置に限られず、前記の始動入賞口１０、大入賞口１５、スピーカ８、発射装置ＨＤ、各種ランプ等の電気部品の制御基板が配置される取付部材についても適用可能である。
【００６２】
図１７を用い制御基板上のプリント配線と接続部（台板）との位置関係を説明する。図１７（ａ）は主制御基板５０の一部分を模式的に示したものである。プリント配線Ｃ１０及び接続点Ｅを含む配線パターンＣが制御基板上に敷設され、各々のプリント配線Ｃ１０は接続点Ｅと接続されている。この接続点に前記の接続部の接続端子Ｔや図示しないコンデンサ、抵抗等がはんだ付けされる。２点鎖線で示した開口部９７の直下に配線パターン、すなわち各種のプリント配線Ｃ１０及び接続点Ｅが現れている。
【００６３】
図１７（ｂ）は、主制御基板５０に接続部８０が備えられた状態を示す。図示の場合、本体部８１の外部に位置する配線パターンＣ（プリント配線Ｃ１０及び接続点Ｅ）は、概ね接続部８０の台板８５によって覆い隠されている。このように配線パターンの少なくとも一部を台板が被覆するため、開口部から、侵入する埃、挿入される異物に対して内部の配線パターンの保護を強化することができる。
【００６４】
従前の制御基板においては、開口部からの異物の挿入を想定し、開口部から配線パターン及び接続点を離すようにして比較的制御基板を広めに設計していた。しかしながら、実施例の構成とすると、台板の直下に接続点を配置した配線パターンの設計も可能となる。従って、従前のようにあえて制御基板を広めに設計する必要はなく、以前にも増して制御基板における配線パターンの配置を緻密にすること（配線パターンの集積度を高めること）ができ、制御基板自体の縮小が可能となる。
【００６５】
以上のとおり詳述してきた本発明についてまとめる。図１８は従前の基板収容ケース６００における接続部６１０の位置関係を示す。接続部６１０（本体部のみに相当）は制御基板５００上に直接備えられている。この制御基板５００はケース体６０１に載置されて固定され、ケース体６０１にカバー体６０５が被着されている。カバー体６０５の周縁６０６と、接続部６１０の間に開口部６０７が形成されている。従前の基板収容ケース６００にあっては、接続部６１０と制御基板５００との密着面のみで制御基板を被覆していた。そのため、開口部６０７の空間部６０７ｏから埃等の侵入、異物Ｙの挿入（不正行為）等のおそれが指摘される。とりわけ、図１７に示した配線パターンを想定する場合、空間部６０７ｏに配線パターン、接続点等が露出しているため、異物Ｙの挿入等による誤作動発生の可能性があり、異物侵入あるいは不正行為に対する防備が脆弱であることが指摘されていた。
【００６６】
しかるに、本発明のとおり、接続部が台板を有して制御基板の少なくとも一部を被覆するため、配線パターン、接続点等の露出は解消され、上記の防備の脆弱性を改善することができる。また、接続部に備えた台板により制御基板との接続を強化（強固）することもできる。なお、各図中、共通箇所には同一符号を付し、その説明を省略する。
【００６７】
実施例ではパチンコ遊技機を用いて発明を開示し、かつ説明をしてきたが、本発明はこれに限定されず、コイン遊技機、アレンジボール機、スロットマシン等にも適用することが可能である。
【図面の簡単な説明】
【００６８】
【図１】本発明の一実施例に係る遊技機全体の正面図である。
【図２】同遊技機全体の裏面図である。
【図３】制御基板同士の接続状態の概略を示す斜視図である。
【図４】第１実施例の制御基板収容ケースの分解斜視図である。
【図５】第１実施例の接続部の斜視図と上面図と正面図である。
【図６】第１実施例の制御基板収容ケースの主要部概略断面図である。
【図７】第１実施例の開口部の概略上面図である。
【図８】図６の異物挿入時の概略断面図である。
【図９】第１実施例の別例に係る接続部の側面図である。
【図１０】第１実施例の別体に形成された接続部の分解斜視図と正面図である。
【図１１】第２実施例の制御基板収容ケースの分解斜視図である。
【図１２】第２実施例の接続部の斜視図と上面図と正面図である。
【図１３】第２実施例の制御基板収容ケースの主要部概略断面図である。
【図１４】第２実施例の開口部の概略上面図である。
【図１５】図１３の異物挿入時の概略断面図である。
【図１６】制御基板が配置された取付部材の正面図と主要部概略断面図である。
【図１７】制御基板上の配線パターンの模式図である。
【図１８】従来の制御基板収容ケースの主要部概略断面図である。
【符号の説明】
【００６９】
１  遊技機
５０  主制御基板
６０，６０Ｋ  制御基板収容ケース
６１  ケース体
６３，９３  第３突部（不正防止部）
６５，９５，１２５  カバー体
６６，９６  周縁
６７，９７  開口部
７０，７０Ａ，７０Ｂ，８０  接続部
７１，７１ａ，７１ｂ，８１  本体部
７５，７５ｂ，８５  台板
９２  第２突部
８８  第１突部
１０１  貫通孔
１０５  係合部
１０７  本体凸部
１０８  台板凹部
２００  接続部材
２０１  配線部材
２０５  コネクタ部材
Ｃ  配線パターン
Ｃ１０  プリント配線
Ｅ  接続点
【図１】
2006223908.tif 000003
【図２】
2006223908.tif 000004
【図３】
2006223908.tif 000005
【図４】
2006223908.tif 000006
【図５】
2006223908.tif 000007
【図６】
2006223908.tif 000008
【図７】
2006223908.tif 000009
【図８】
2006223908.tif 000010
【図９】
2006223908.tif 000011
【図１０】
2006223908.tif 000012
【図１１】
2006223908.tif 000013
【図１２】
2006223908.tif 000014
【図１３】
2006223908.tif 000015
【図１４】
2006223908.tif 000016
【図１５】
2006223908.tif 000017
【図１６】
2006223908.tif 000018
【図１７】
2006223908.tif 000019
【図１８】
2006223908.tif 000020